(57)【要約】【課題】既存の蛍光灯用照明装置に、円板状のＬＥＤランプを簡単に取り付け可能とする。【手段】蛍光灯用の照明装置は上金具３を有しており、上金具３は、ローゼット１に装着したアダプタ２の横向き爪１０で落下不能に保持されている。アダプタ２に筒状の第１補助支持体４が下方から嵌め込まれており、第１補助支持体４の上端に設けた上フランジ１３がアダプタ２の横向き爪１０で支持されている。第１補助支持体４に第２補助支持体５が下方からの嵌め込みで取り付けられており、第２補助支持体５に、円板状の基板３６を有するＬＥＤランプ６が固定されている。第２補助支持体５は係合爪２９を有しており、係合爪２９は第１補助支持体４の係合穴２６に嵌まっている。【選択図】図３
2012248376.tif 000002
【特許請求の範囲】
【請求項１】
設置場所に固定された給電部材又はこれに取り付けられたアダプタに着脱自在な第１補助支持体と、前記第１補助支持体に着脱自在な第２補助支持体とを有しており、前記第２補助支持体に、素子発光式光源を有するランプが取り付けられている、
照明装置。
【請求項２】
前記給電部材は天井に固定された角形又は円形のローゼットであって、前記ローゼットに、外周方向に前進・後退自在な横向き爪を有するアダプタが取り付けられており、前記アダプタには、前記横向き爪をいったん後退させることによって上金具が嵌め込み支持されており、前記上金具に、その下方の部材を覆う透光性フードが着脱自在に取り付けられている一方、
前記第１補助支持体は前記アダプタに下方から嵌まる上下開口の筒形形状であり、前記第１補助支持体の上端に、前記上金具と横向き爪との間に挟まる上フランジと、前記横向き爪が嵌入する係合穴とが形成されており、
更に、前記第２補助支持体は前記第１補助支持体に下方から嵌め込みできる筒状の形態であり、これら第１補助支持体と第２補助支持体とのうちいずれか一方には横向き方向に前後動する結合爪を設け、他方には前記係合爪が嵌脱する係合穴を設けており、更に、前記第２補助支持体の下端には、下面にＬＥＤチップの群を配置した基板が取り付けられている、
請求項１に記載した照明装置。
【請求項３】
前記第２補助支持体は前記第１補助支持体に外側から嵌まるようになっており、前記第２補助支持体にはその内側に突出した２つの係合爪が軸心を挟んだ２カ所に配置されている一方、前記第１補助支持体の上下複数段の箇所に、前記２つの係合爪に対応した係合爪の対が周方向にずれた状態で複数対ずつ形成されており、このため、前記第２補助支持体は、高さを変えた状態及び平面視での姿勢を変えた状態で前記第１補助支持体に取り付け可能である、
請求項１又は２に記載した照明装置。
【発明の詳細な説明】
【技術分野】
【０００１】
本願発明は、ＬＥＤや有機ＥＬのような素子式光源を有する照明装置に関し、特に、天井に取り付けられる（固定される）照明装置を好適な対象にしている。
【背景技術】
【０００２】
近年、照明の分野で省電力や長寿命化の観点からＬＥＤ化が進んでおり、有機ＥＬの商業化も研究が進んでいる。従来の照明装置のランプは蛍光灯と白熱灯に大別されるが、照明のＬＥＤ化に際しては、全体を既存の照明装置とは別構造にする考え方と、既存の照明装置の蛍光灯や白熱灯にＬＥＤランプを置き換える考え方とがある。前者の例としては例えば特許文献１がある。
【０００３】
他方、天井に固定される蛍光灯方式の照明装置は、例えば特許文献２，３に開示されているように、天井に固定されたローゼットに下方から回転させて取り付けるアダプタを有しており、アダプタに設けた一対の横向き爪で上金具を支持し、上金具に蛍光灯とフードとを取り付けている。蛍光灯は大きく撓み変形するホルダーに装着している。
【先行技術文献】
【特許文献】
【０００４】
【特許文献１】特開２０１０−０４９８３０号公報
【特許文献２】特開２００８−２７７１９１号公報
【特許文献３】特開平１１−２１３７４５号公報
【発明の概要】
【発明が解決しようとする課題】
【０００５】
さて、ＬＥＤ化に際して既存の照明装置をそのまま使用できると、コストを抑制できると共に設置工事の手間が不要になる利点や、デザインが気に入っている場合に廃棄せずに継続使用できる利点などがある。そして、上記のとおり、蛍光灯用の照明装置の本体はそのまま使用して蛍光灯だけをＬＥＤランプに取り替えるアイデアは多々提案されており、かつ、現実に実施されているが、問題も見られる。
【０００６】
その一つは照度不足の問題であり、例えば、天井固定式の照明装置においてリング状の蛍光灯をリング状のＬＥＤランプに置き換えたに過ぎない場合は、蛍光灯と同等の照度を確保できない場合がある。この場合は、例えば、ＬＥＤランプを円板状の基板に多数のＬＥＤチップが搭載された方式にするなどして照度アップを図らねばならないが、すると、単なる蛍光灯からＬＥＤランプへの置き換えでは対処できなくなる。さりとて、器具全体を交換するとコストが嵩む。
【０００７】
また、ＬＥＤには直流電源が使用されており、蛍光灯に代替される照明装置では一般に２４ボルトが使用されるため、通常の商業電源で使用するには変圧機能と整流機能とを有する電源変換器が必要であるが、リング状蛍光灯と同じ形状のＬＥＤランプではスペースの点から電源変換器を組み込むことが厄介であり、組み込んでも著しくコストアップする問題がある。
【０００８】
本願発明はこのような現状を端緒として成されたものであり、照明をＬＥＤ化や有機ＥＬ化するにおいて、従来の蛍光灯用の本体をそのまま使用することが可能である等、融通性に優れた照明装置を提供することを主たる目的とするものである。
【課題を解決するための手段】
【０００９】
請求項１の発明に係る照明装置は、建物に固定された給電部材又はこれに取り付けられたアダプタに着脱自在な第１補助支持体と、前記第１補助支持体に着脱自在な第２補助支持体とを有しており、前記第２補助支持体に、チップ式又は面発光式の光源を有するランプが取り付けられている。
【００１０】
請求項２の発明は請求項１を具体化したもので、この発明では、前記給電部材は天井に固定された角形又は円形のローゼットであって、前記ローゼットに、外周方向に前進・後退自在な横向き爪を有するアダプタが取り付けられており、前記アダプタには、前記横向き爪をいったん後退させることによって上金具が嵌め込み支持されており、前記上金具に、その下方の部材を覆う透光性フードが着脱自在に取り付けられている。
【００１１】
一方、前記第１補助支持体は前記アダプタに下方から嵌まる上下開口の筒形形状であり、前記第１補助支持体の上端に、前記上金具と横向き爪との間に挟まる上フランジと、前記横向き爪が嵌入する係合穴とが形成されており、更に、前記第２補助支持体は前記第１補助支持体に下方から嵌め込みできる筒状の形態であり、これら第１補助支持体と第２補助支持体とのうちいずれか一方には横向き方向に前後動する結合爪を設け、他方には前記係合爪が嵌脱する係合穴を設けており、更に、前記第２補助支持体の下端には、下面にＬＥＤチップの群を配置した基板が取り付けられている。
【００１２】
請求項３の発明は請求項１又は２を具体化したもので、この発明では、前記第２補助支持体は前記第１補助支持体に外側から嵌まるようになっており、前記第２補助支持体にはその内側に突出した２つの係合爪が軸心を挟んだ２カ所に配置されている一方、前記第１補助支持体の上下複数段の箇所に、前記２つの係合爪に対応した係合爪の対が周方向にずれた状態で複数対ずつ形成されており、このため、前記第２補助支持体は、高さを変えた状態及び平面視での姿勢を変えた状態で前記第１補助支持体に取り付け可能である。
【発明の効果】
【００１３】
さて、例えば天井組み込み式の照明装置の場合、既述のように、ローゼットのような給電部材を設けてこれにアダプタを取り付け、アダプタで支持された上金具に蛍光灯等のランプを取り付けていることが殆どである。
【００１４】
そして、本願発明では、第１補助支持体は建物に設けている給電部材又はアダプタに取り付けられるため、既存の照明装置に置き換えたり、既存の照明装置本体をそのまま使用したりすることができる。また、素子発光方式のランプを設けた第２補助支持体は給電部材やアダプタに取り付けるのではなく、第１補助支持体に取り付けるものであるため、第１補助支持体と第２補助支持体との関係を適宜調整することにより、ランプの高さ位置や平面姿勢などを調整することが可能であり、このため融通性に優れている。従って、高い照度を有するよう面積を大きくした板状ランプを使用することも容易である。
【００１５】
請求項２の構成によると、既存の照明装置の上金具やフードはそのまま使用して、素子発光式ランプを蛍光灯に置き換えることができる。このため、コスト面において優れている。また、ランプは第２補助支持体に設けているため、従来の蛍光灯の配置位置とは関係なくランプの位置や姿勢を設定することが可能であり、このため、高い照度を有する板状のランプであっても支障なく採用できる。
【００１６】
第１補助支持体は既存のアダプタに簡単に取り付けることができると共に、第２補助支持体は第１補助支持体に下方から嵌め込むことで簡単に取り付けることができる。従って、蛍光灯式照明から素子発光式照明への変更を簡単に実現できる。
【００１７】
蛍光灯式の照明装置は、明るさが同じ程度でもメーカーの違いやデザインの違い等によって高さが違うものが存在しているが、請求項３の構成を採用すると、第２補助支持体の高さ位置（換言するとランプの高さ位置）を変更できるため、高さが異なる照明装置にも簡単に対応することができる。
【００１８】
また、光を下向きに照射する平板状のランプの場合は、変圧機能と整流機能とを有する電源変換器がランプの上面に配置される一方、蛍光灯式の照明装置においては上金具の下面に安定器を配置していることがあり、安定器と電源変換器とが当てると第２補助支持体を取り付けることができくなくなる。この点、請求項３の発明によると、第２補助支持体の平面視姿勢を変えることができるため、仮に電源変換器と安定器とが上下に干渉する高さであっても、電源変換器が安定器に当たらないようにその位置を変えることができる。このため、融通性に優れている。
【図面の簡単な説明】
【００１９】
【図１】照明装置の外観を示す図で、（Ａ）は上から見た斜視図、（Ｂ）は正面図、（Ｃ）は下方から見た斜視図である。
【図２】（Ａ）は蛍光灯使用態様での照明装置の原理斜視図、（Ｂ）は一部分離底面図である。
【図３】（Ａ）は要部を下方から見た分離斜視図、（Ｂ）はローゼットとアダプタとの関係を示す斜視図である。
【図４】（Ａ）は全体の分離斜視図、（Ｂ）はフードを上から見た斜視図である。
【図５】要部の一部破断分離正面図である。
【図６】一部を分離した平面図である。
【図７】要部の縦断面図であり、（Ａ）は図６の VIIA-VIIA視方向から見た状態を表示し、（Ｂ）は図６の VIIB-VIIB視方向から見た状態を表示している。
【図８】第２実施形態を示す図である。
【図９】（Ａ）は第３実施形態を示す縦断面図、（Ｂ）は第３実施形態を示す平面図である。
【図１０】第４実施形態を示す縦断面図である。
【図１１】第５実施形態を示す縦断面図である。
【図１２】（Ａ）は第６実施形態を示す縦断面図、（Ｂ）は第７実施形態を示す縦断面図である。
【発明を実施するための形態】
【００２０】
次に、本願発明の実施形態を図面に基づいて説明する。まず、図１〜図７に示す第１実施形態を説明する。この第１実施形態は天井固定式の照明装置に適用しており、大小２本の丸形蛍光灯が使用される本体にそのまま適用できるようになっている。すなわち、従来の蛍光灯式照明装置の本体部をそのままＬＥＤ式照明装置に転用するものである。
【００２１】
(1).概要
まず、主として図１〜図４に基づいて概要を説明する。図３から容易に理解できるように、照明装置は、天井Ｔに固定された角形のローゼット（給電部材）１に取り付けられる円形のアダプタ２と、アダプタ２で落下不能に支持される円形の上金具３と、同じくアダプタ２に落下不能に取り付けられる円筒状の第１補助支持体４と、第１補助支持体４に落下不能に取り付けられる第２補助支持体５と、第２補助支持体５の下端に固定したＬＥＤランプ６と、上金具３に取り付けられて各部材を下方から覆うフード７とを備えている。本実施形態では、第１補助支持体４、第２補助支持体５、ＬＥＤランプ６が本願発明の実施形態として新規に使用されており、その他の部材は従来の蛍光灯式照明装置の部材をそのまま利用している。
【００２２】
ローゼット１は天井Ｔの下面から突出した状態に配置されており、その下面には、一端部を広幅と成した２つの円弧状係合穴８が形成されている一方、アダプタ２の上面には、円弧状係合穴８に対応した２本の鉤状電極９を上向きに突設しており、２本の鉤状電極９をローゼット１の円弧状係合穴８に嵌め込み係合させることにより、アダプタ２は落下不能に保持されている。なお、ローゼット１は平面視（底面視）円形など、他の形状であってもよい。
【００２３】
アダプタ２には、軸心を挟んだ両方向に突出する横向き爪１０が装着されている。他方、上金具３はスチール製であり、平面視円形で中央部にはアダプタ２より大径の中心穴１１が空いている。更に、上金具３の下面には樹脂製のサポートリング１２を固定し、このサポートリング１２をアダプタ２の横向き爪１０で支持している。
【００２４】
図２に示すように、上金具３の下面には、周方向に沿った３カ所に蛍光灯ホルダー１３を取り付け可能である。蛍光灯ホルダー１３は内側足部１３ａと外側足部１３ｂとを有する逆Ｖ形であり、内側足部１３ａの下端部は内向き凹の状態に曲げられて、外側足部１３ｂの下端部は外向き凹の状態に曲げられており、内側足部１３ａで小径の蛍光灯１４を保持し、外側足部１３ｂで大径の蛍光灯１５を保持する。本実施形態では蛍光灯ホルダー１３は使用しないので取り外してもよいし、取り付けたままであっても差し支えない。
【００２５】
フード７は白色や乳白色のような樹脂製であり（透明であってもよい）、下面が下向きに膨らんだボタン形状になっている。そして、図４に示すように、上端には内向き突起１６が周方向に沿って飛び飛びで形成されている一方、上金具３の外周部下面には、内向き突起１６を支持する受け具１７を設けている。フード７は、上金具３の下面に重ねてから回転させて内向き突起１６を受け具１７の箇所に嵌め入れることで、上金具３に取り付けられる。敢えて述べるまでもないが、フード７は様々な形状や構造を採用できる。また、フード７を設けないことも可能である。
【００２６】
本実施形態は、アダプタ２を利用して第１補助支持体４を取り付け、ＬＥＤランプ６が取り付けられた第２補助支持体５を第１補助支持体４に取り付ける。以下、図５以下の図面も参照して全体の詳細を説明する。
【００２７】
(2).上金具・アダプタ
例えば図３（Ａ）及び図４（Ａ）から理解できるように、上金具３のうち中央部側の部位は下向き凸部３ａになっており、また、その外側には環状の下向き突条３ｂが形成されており、更に、外周には壁部３ｃを形成している。このため、断面係数が大きくなって剛性が高くなっている。そして、中心穴１１の周囲の部位は更に下向きに突出した中心凹所３ｄになっている。
【００２８】
他方、サポートリング１２には、軸心を挟んだ両側に突出する２つの外向き突起１２ａが形成されており、外向き突起１２ａが上金具３の中心凹所３ｄにビスで固定されている。図７に明示するように、サポートリング１２の内周面と上面とは傾斜ガイド面１２ｂになっている。一方、アダプタ２に設けた一対の横向き爪１０は、アダプタ２の外周面から突出したりアダプタ２の外周より内側に全体が隠れたりするようにスライド自在に保持されていると共に、アダプタ２に内蔵したばね２０によって突出方向に押され保持されており、更に、横向き爪１０の先端部の下面は上に行くに従って外側に行く傾斜ガイド面１０ａになっている。
【００２９】
従って、サポートリング１２をアダプタ２に嵌めるように押し上げると、横向き爪１０はばね２０に抗していったん後退してから突出するという動きを行い、これにより、上金具３はアダプタ２にワンタッチ的に取り付けられる。アダプタ２は例えば樹脂製であり、下向き開口した溝穴に横向き爪１０がスライド自在に嵌まっていると共に、下面には、横向き爪１０を落下不能に保持する底板２１がビス止め等で固定されている。もとより、アダプタ２は各種の構造を採用できる。
【００３０】
上金具３を取り外す場合は、２つの横向き爪１０を半径内側に後退させる。このため、両横向き爪１０には、人が操作するための操作足体２２を下向きに突設している。また、上金具３の上面には、天井Ｔに当たるクッション２３を飛び飛びで複数個（３個）設けており、クッション２３が圧縮された状態で横向き爪１０にサポートリング１２が載るように設定している。このため、上金具３はガタ付きのない状態に保持されている。
【００３１】
図２に示すように、上金具３の下面には蛍光灯用の安定器２４を設けている。安定器２４は機能していないので取り外してもよいが、一々取り外すのは面倒なので、付けたままであってもよい。
【００３２】
(3).補助支持体・ＬＥＤランプ
第１補助支持体４はスチール等の金属製であり、アダプタ２のうちサポートリング１２より下方の部位に嵌まる。そして、図７に示すように、第１補助支持体４の上端には外側に突出した上フランジ１３が一体に設けられており、この上フランジ１３がアダプタ２の横向き爪１０で支持されている。従って、第１補助支持体４の上端部には、横向き爪１０が嵌まる窓穴２５の対が形成されている。この場合、図２〜図４に示すように、窓穴２５の対は平面視で十字方向に位置するように２対設けている。
【００３３】
第１補助支持体４の下段部と中段部と上段部との３箇所の高さ位置には、軸心を挟んだ両側に位置する係合穴２６の対が３対ずつ等間隔を隔てて形成されている。係合穴２６は角形（矩形）の形状になっている。
【００３４】
他方、第２補助支持体５はスチール等の金属製であり、図３，図５，図７等に示すように、第１補助支持体４に外側から嵌まる筒状部２７を有している。筒状部２７の下端には下フランジ２８が一体に形成されている（筒状部２７と下フランジ２８とは別体に製造して溶接で一体化してもよい。）。下フランジ２８には軸心を挟んだ両側に大きく突出した張り出し部２８ａが形成されており、この張り出し部２８ａの箇所に、係合爪２９を配置している。
【００３５】
係合爪２９は例えば樹脂製で平面視四角形であり、第２補助支持体５の軸心に向けて前進・後退するようにカバー体３０で保持されている。カバー体３０はビスで張り出し部２８ａに固定されている。第２補助支持体５の筒状部２７には係合爪２９が出没する穴３１が空いており、係合爪２９は、カバー体３０に内蔵したばね３２で内向き突出した状態に押さえ保持されている。
【００３６】
係合爪２９の先端部の上面は、最先端に行くに従って低くなるように傾斜した傾斜面２９ａになっており、このため、第２補助支持体５を第１補助支持体４に対して下から押し込むと、係合爪２９はいったん後退してから前進するという動きを成して係合穴２６に嵌まり込む。従って、第２補助支持体５は第１補助支持体４にワンタッチ的に取り付けることができる。係合爪２９には、ＬＥＤランプ６の下方に突出した操作足３３を設けており、操作足３３に指を当てて係合爪２９を後退させると、第２補助支持体５を第１補助支持体４から取り外すことができる。第２補助支持体５とＬＥＤランプ６には、操作足３３のスライドを許容するための穴（角穴）３４が空いている。
【００３７】
既述のように、係合穴２６は円周方向に３対形成されているため、第２補助支持体５の平面視姿勢を１２０度ずつ変えて第１補助支持体４に取り付けることができる。また、本実施形態では、係合穴２６は第２補助支持体５における下段の係合穴２６と中段段の係合穴２６とに嵌め込むことができ、このため高さを２段階に変更できる。筒状部２７の高さを低くすれば、係合爪２９を上段の係合穴２６に嵌め込むことができる。
【００３８】
第１補助支持体４と第２補助支持体５との嵌まり合いを内外逆にすることも可能である。係合爪２９を第１補助支持体４に設けて、係合穴２６を第２補助支持体５に設けることも可能であるが、この場合は、係合爪２９の後退操作をＬＥＤランプ６の上側で行わねばならないため、第２補助支持体５の取り外しが面倒になるおそれがある。これに対して本実施形態のように第２補助支持体５に係合爪２９を設けると、ＬＥＤランプ６の下方に露出した操作足３３に指を当てて係合爪２９を後退させることができるので、第２補助支持体５の取り外しを簡単に行える利点がある。
【００３９】
図４（Ａ）に示すように、ＬＥＤランプ６は円板状の基板３６の下面に多数のＬＥＤチップ３７を装着した構成であり（図３（Ａ）ではＬＥＤチップ３７省略している。）、基板３６の上面には変圧機能と整流機能とを有する電源変換器３８が固定されている。電源変換器３８は直方体状の外観である。基板３６は第２補助支持体５の張り出し部２８ａにビス止め等で固定されているが、基板３６と第２補助支持体５の間にリング状等の中間板（補強板）を介在させてもよい。或いは、第２補助支持体５の下フランジ２８を広幅に設定して、これに基板３６を固定することも可能である。
【００４０】
図７に示すように、アダプタ２の下面からは電源ケーブル３９が下向きに延びている一方、電源変換器３８には受電用ケーブル４０を設けており、両者はブラグ４１，４２で接続されている。両プラグ４１，４２は上段の係合穴２６を通過する大きさになっている。図７では両プラグ４１，４２を補助支持体４、５の外側に配置した状態を描いているが、両プラグ４１，４２を第１補助支持体４の内部に配置してもよい。受電プラグ４２を電源変換器３８の外面に固定的に設けることも可能である。
【００４１】
また、図７に一点鎖線で示すように、基板２６の下面のうち中心穴２６ａに近い部位（ＬＥＤチップ３７の邪魔にならない部位）に受電プラグ４２を設け、これに給電プラグ４１を差し込む構成も採用できる。この場合は、給電プラグ４１は受電プラグ４２に下方から差し込みできるため、電源の接続作業を簡単に行える利点がある。受電プラグ４２を電源変換器３８の下面に設けて、基板３６には受電プラグ４２を露出させる穴を空けておくことも可能である。受電プラグ４２を第２補助支持体５の下面又は内周面に設けることも可能である。
【００４２】
(4).まとめ
蛍光灯１４，１５をＬＥＤランプ６に置き換えるには、まず、蛍光灯１４，１５を取り外すと共に安定器２４から電源プラグ４１を抜き取っておく。次いで、既述のとおり、第１補助支持体４をアダプタ２に嵌め込み装着する。この場合、クッション２３を押し縮めることで上金具３を若干押し上げることができるため、第２補助支持体４の上フランジ１３を横向き爪１０の上側に移動させることに支障はない。
【００４３】
次いで、第２補助支持体５を第１補助支持体４に下方から嵌め込み装着する。さて、ＬＥＤランプ６の電源変換器３８と蛍光灯用の安定器２４との高さが部分的に重なる場合、両者が平面視で重なり合う位置にあると第２補助支持体５を取り付けることができない。また、安定器２４の位置はメーカーや機種によって違い場合がある。この点、本実施形態では第２補助支持体５の姿勢を変えた状態で第１補助支持体４に取り付けることができるため、安定器２４を電源変換器３８に当たらない状態で、できるだけ高く位置させることができる。従って、本実施形態は各種の蛍光灯式照明装置に対応できる利点がある。
【００４４】
第２補助支持体５を第１補助支持体４に取り付けてから、電源プラグ４１を受電プラグ４２に接続する。両プラグ４１，４２ともケーブル３９，４０の長さの範囲で任意の位置に保持できるので、ＬＥＤランプ６の上側での接続であっても簡単に行える。最後にフード７を取り付ける。
【００４５】
本実施形態では、第１補助支持体５を第２補助支持体４にワンタッチ的に取り付ける係合手段として、係合穴２６とスライド式係合爪２９との組み合わせを採用したが、スライド式係合爪に代えて、例えば下端を中心にして回動する回動式係合爪を採用することも可能である。
【００４６】
ＬＥＤランプ６におけるＬＥＤチップ３７の配置は必要に応じて任意に設計変更できる。また、ＬＥＤランプ６が白（無色）の単色の場合は、白色ダイオードを使用するか、青と黄色とのダイオードをセットで設けるか、或いは、青色ダイオードを黄色の透明カバーで覆うなどして白色（無色）を合成したらよい。青と赤と緑のダイオードを併置し、各ダイオードの光の強さを調節することで任意の色の光を得ることも可能である。多数のＬＥＤチップ３７のうち一つ又は僅かの数を常夜灯とすることも可能である。
【００４７】
また、光の強さを可変式とすることも可能である。光の強弱や色を可変式にする場合は、基板３６の下面の適宜部位に、リモコンから照射された光又は電波を受信するセンサを設けたらよい。ＬＥＤランプ６のＯＮ・ＯＦＦをリモコンで行うことも可能であり、この場合も、受信センサは基板３６の下面の適宜部位に設けたらよい。
【００４８】
第１補助支持体４と第２補助支持体５とは内外逆の嵌め合いにすることも可能であるが、第２補助支持体５を第１補助支持体４に内側から嵌めると、第２補助支持体５の上限高さは下フランジ２８が第１補助支持体４の下端に当たることによって規制される。すなわち、基板３６を第１補助支持体４の下端よりも上に位置させることはできない。このため、コンパクト化しにくい問題がある。
【００４９】
これに対して本実施形態のように第２補助支持体５を第１補助支持体４に外側から嵌めると、ＬＥＤランプ６を第１補助支持体４の下端より上に位置させることができるため、全体の高さを低くしつつ、ＬＥＤランプ６の高さを変更することができる。この点も本実施形態の利点の一つである。
【００５０】
(5).他の実施形態
図８に示す第２実施形態は、上金具３の中央部に第１補助支持体４を溶接等によって固定しており、第１補助支持体をローゼット１に直接取り付けている。従って、第１補助支持体４の上面には鉤状電極９を突設している。上金具３にはクッションを設けるのが好ましい。第１補助支持体４の上部には、プラグ４１，４２を抜き差しする専用の穴４４を設けている。
【００５１】
図９（Ａ）に示す第３実施形態では、第１補助支持体４の下端に底板４５を設けてこれに一対の係合穴２６を設ける一方、第２補助支持体５の上端に上面板４６を設けて、上面板４６に鉤状の係合爪２９をスライド自在に設けている。係合爪２９の鉤部２９ｂは上面板４６の上に露出しており、また、係合爪２９は下ガイド４７によってスライド自在及び脱落不能に保持されている。
【００５２】
図９（Ｂ）に示す第４実施形態は第３実施形態の変形例であり、この実施形態では、第１補助支持体４の底板４５に、第１補助支持体４の軸心回りに延びる一対の円弧状係合穴４８を設けている。円弧状係合穴４８は、その一端部のみが鉤部２９ｂを挿脱自在な幅広部４８ａで他の部位は鉤部２９ｂが抜け不能な細幅になっている。
【００５３】
従って、鉤部２９ｂを幅広部４８ａに挿入してから第２補助支持体５を水平回転させることにより、第２補助支持体５は落下不能に保持される。第１補助支持体４の底板４５の上面のうち円弧状係合穴４８の終端寄り部位の外側には、鉤部２９ｂの戻りを防止する突起４９を上向きに突設している。鉤部４９は弾性変形することで突起４９を乗り越えるようになっている。第１補助支持体４は、ローゼット１に取り付けてもよいしアダプタ２に取り付けてもよい。
【００５４】
図１０に示す第５実施形態では、第２補助支持体５の下端に上金具３を固定している。従って、上金具３と天井Ｔとの間には空間が空いている。図１１に示す第６実施形態は間接照明に適用しており、第２補助支持体５の下端に固定した下金具５０の上面にＬＥＤランプ６を配置している。当然ながら、ＬＥＤチップ３７は基板３６の上面に搭載している。第２補助支持体５には、光を下方に反射させる笠５１を固定している。電源変換器３８は下金具５０の下面に配置されており、電源変換器３８は下金具５０に設けたカバー５２で覆われている。
【００５５】
図１２（Ａ）に示す第７実施形態では、ＬＥＤランプ６はＬＥＤチップ３７が下面に配置されたドーナツ形基板３６ａと、ＬＥＤチップ３７が外周面に配置された筒形基板３６ｂとを有している。両基板３６ａ，３６ｂは、スチール製で周壁５３ａを有する断面Ｌ形の下フレーム５３に固定されている。筒形基板３６ｂは、帯板に製造されたものを曲げて構成されている。基板３６ａ，３６ｂの外面には、金属箔や薄金属板から成る反射層５６がＬＥＤチップ３７の邪魔にならない状態に重ね配置されている。図示していないが、下フレーム５３は第２補助支持体に設けている。
【００５６】
図１２（Ｂ）に示す第８実施形態では、第２補助支持体５に設けた下金具５４の外周部に上広がりテーパ部５４ａを形成し、この上広がりテーパ部５４ａの外面にＬＥＤランプを配置している。下金具５４は平面視四角形等の角形であり、従って、ＬＥＤランプ６を構成する基板３６は帯板の形態を成している。隣り合った基板３６のＬＥＤチップ３７の電源線はコネクタ５５で接続されている。この実施形態では光は斜め外側に照射されるため、広い範囲を照明できる利点がある。下金具５４の下面にもＬＥＤランプ６を設けることは可能である。
【００５７】
(6).その他
本願発明は、上記の実施形態の他にも様々に具体化できる。例えば第１及び第２補助支持体は必ずしも円筒形である必要はなく、例えば角筒の形態にすることも可能である。第１補助支持体を既存のアダプタに取り付ける場合、その取り付け構造は既存の方式に合致させたらよい。第１補助支持体と第２補助支持体との間に中間補助支持体を介在させることも可能である。
【００５８】
第２補助支持体を第１補助支持体に取り付ける方法としては、例えばねじ止めのようにファスナを使用することも可能である。光源はＬＥＤチップには限らず、有機ＥＬ等の他の種類の発光素子も採用できる。複数種類の光源を併用することも可能である。敢えて述べるまでもないが、照明装置の設置場所は天井には限らず、壁など所望の部位に配置できる。
【産業上の利用可能性】
【００５９】
本願発明は、ＬＥＤ式照明装置に具体化して有用性を発揮する。従って、産業上利用できる。
【符号の説明】
【００６０】
１  給電部材の一例としてのローゼット
２  アダプタ
３  上金具
４  第１補助支持体
５  第２補助支持体
６  ＬＥＤランプ
７  フード（透光カバー）
８  係合溝穴
９  鉤状電極
１０  横向き爪
１２  サポートリング
２４  蛍光灯用の安定器
２６  係合手段を構成する係合穴
２９  係合手段を構成する係合爪
３６  基板
３７  ＬＥＤチップ
３８  電源変換器
【図１】
2012248376.tif 000003
【図２】
2012248376.tif 000004
【図３】
2012248376.tif 000005
【図４】
2012248376.tif 000006
【図５】
2012248376.tif 000007
【図６】
2012248376.tif 000008
【図７】
2012248376.tif 000009
【図８】
2012248376.tif 000010
【図９】
2012248376.tif 000011
【図１０】
2012248376.tif 000012
【図１１】
2012248376.tif 000013
【図１２】
2012248376.tif 000014